(57)【要約】【課題】短時間で加湿フィルター全体が湿潤し、また長期使用時でも加湿性能の低下が少ない加湿装置を提供することを目的とする。【解決手段】吸気口２と排気口３を連通し形成された空気流路４に送風機５と水槽７を設けた本体１と、水槽７の溜水に常に下部を浸して回転可能に設けた円盤形状の加湿フィルター８と、加湿フィルター８の外周側に円環状の給水手段とを回転自在に垂直に設け、この加湿フィルター８は２枚の平面状の第１の層の間に第２の層を挟んだ３層構造であり、第２の層は第１の層を繊維で連結した三次元構造体を基材とすることにより、短時間で加湿フィルター全体が湿潤し、また、加湿性能の低下が少ない加湿装置を提供できる。【選択図】図１
2010107134.tif 000002
【特許請求の範囲】
【請求項１】
吸気口と排気口を有する本体ケースと、この本体ケース内で、前記吸気口から前記排気口に送風される送風路に送風手段を設け、前記吸気口と前記送風手段との間に加湿手段を設けた構成とし、前記加湿手段は円盤状の加湿フィルターと、この加湿フィルターの外周側に円環状の給水手段とを回転自在に垂直に設け、前記給水手段の下部には水槽を設け、その水槽に給水タンクより常に所定水位まで給水し、前記加湿フィルターと前記給水手段は前記水槽の水に一部を常に浸しながら駆動手段によって回転して前記水槽の水を汲み上げ、前記加湿フィルターの上部より給水し、前記加湿フィルターは２枚の平面状の第１の層の間に第２の層を挟んだ３層構造であり、前記第２の層は前記第１の層を繊維で連結した三次元構造体を基材とする加湿装置。
【請求項２】
加湿フィルターの第１の層の表面に互いに隣接した複数の開口部を設け、前記開口部を円形状または多角形に形成した請求項１記載の加湿装置。
【請求項３】
加湿フィルターの第１の層の開口部の最短開口幅を３ｍｍ以上とした請求項２記載の加湿装置。
【請求項４】
給水手段は複数の箱状の給水部からなり、前記給水部の内周側に給排水口を設け、加湿フィルターと前記給水手段は前記水槽の水に一部を常に浸しながら駆動手段によって回転し、この回転によって複数の前記給水部の前記給排水口より前記水槽の水を汲み上げる請求項１〜３のいずれかに記載の加湿装置。
【請求項５】
給水部の前記給排水口は第２の層の側周面と同一面上の略中央部に位置し、回転軸方向の開口幅が第２の層の厚みより小なる形状の請求項１〜４のいずれかに記載の加湿装置。
【請求項６】
給水手段は複数の前記給水部の前記給排水口より前記加湿フィルターの頂上近傍に給水する請求項１〜５のいずれかに記載の加湿装置。
【請求項７】
給排水口の前記給水手段回転方向上流側に通水ガイドを設け、この通水ガイドは前記給水部の内周側内壁の一部が中心側へ傾斜した形状で前記給排水口を構成した請求項１〜６のいずれかに記載の加湿装置。
【請求項８】
給水部は前記給水手段の外周面に空気抜き孔を設け、前記給水部の内壁は前記給排水口へ傾斜した請求項１〜７のいずれかに記載の加湿装置。
【請求項９】
前記加湿フィルターの回転軸に傾斜を設け、前記加湿フィルターの頂上部に対して下端部が常に風下側に近くなる構成の請求項１〜８のいずれかに記載の加湿装置。
【請求項１０】
加湿フィルターを複数枚重ねた構成の請求項１〜９のいずれかに記載の加湿装置。
【請求項１１】
複数枚重ねた加湿フィルターの一部もしくは全てに隙間を設けた請求項１０に記載の加湿装置。
【請求項１２】
複数枚の加湿フィルターを１ｍｍ〜３ｍｍの隙間を設け重ね合わせた請求項１１に記載の加湿装置。
【請求項１３】
加湿フィルターの素材を疎水性とした請求項１〜１２のいずれかに記載の加湿装置。
【請求項１４】
加湿フィルターに界面活性剤を添着した請求項１〜１３のいずれかに記載の加湿装置。
【発明の詳細な説明】
【技術分野】
【０００１】
本発明は給水した加湿フィルターに通風することにより、室内を加湿する加湿装置に関する。
【背景技術】
【０００２】
従来、この種の加湿装置は、下端部を水中に浸した加湿フィルターの周りを複数のひしゃくが回転するとともに加湿フィルターへ給水し、送風機で通風することにより加湿空気を安定して供給するものが知られている（例えば、特許文献１参照）。
【０００３】
以下、その加湿装置について説明する。
【０００４】
図に示すように加湿装置に加湿構造体、送風手段、空気加熱手段、水槽、水を配置し、加湿構造体の中心から等距離の複数の直方体のひしゃくを備えて、この２つのひしゃくが加湿構造体の周囲をモータの力で回転する機構とし、ひしゃくの加湿構造体と対面している面には開口を複数設けることにより水槽で汲み取った水を、加湿構造体の上方で加湿構造体へむけて滴下するようにした。このひしゃくを連続的または数分間隔で回転させながら水槽からすくい上げた水を加湿構造体へ供給し、高湿度な加湿空気を室内に安定して供給することができるものである。
【特許文献１】特開２００５−２８２９８０号公報
【発明の開示】
【発明が解決しようとする課題】
【０００５】
このような従来の加湿装置では、給水時に加湿フィルター上にある一定の給水路が形成されるとそれ以上の給水路が増えないため、加湿フィルター全体の湿潤が遅く、加湿性能が低いという課題がある。また、吸水性の高い加湿フィルターを使用した場合は、長期使用時に加湿フィルター内部に水道水中に含まれるスケール成分が析出され、加湿性能の低下という課題がある。
【０００６】
本発明は、このような従来の課題を解決するものであり、短時間で加湿フィルター全体が湿潤し、加湿性能を高め、また、長期使用時でも加湿性能の低下が少ない加湿装置を提供することを目的とする。
【課題を解決するための手段】
【０００７】
本発明の加湿装置は、上記目的を達成するために、吸気口と排気口を有する本体ケースと、この本体ケース内で、前記吸気口から前記排気口に送風される送風路に送風手段を設け、前記吸気口と前記送風手段との間に加湿手段を設けた構成とし、前記加湿手段は円板状の加湿フィルターと、この加湿フィルターの外周側に円環状の給水手段とを回転自在に垂直に設け、前記給水手段の下部には水槽を設け、その水槽に給水タンクより常に所定水位まで給水し、前記加湿フィルターと前記給水手段は前記水槽の水に一部を常に浸しながら駆動手段によって回転して前記水槽の水を汲み上げ、前記加湿フィルターの上部より給水し、前記加湿フィルターは２枚の平面状の第１の層の間に第２の層を挟んだ３層構造であり、前記第２の層は前記第１の層を繊維で連結した三次元構造体を基材としたものである。
【０００８】
また、他の手段は、加湿フィルターの第１の層の表面に互いに隣接した複数の開口部を設け、前記開口部を円形状または多角形に形成したものである。
【０００９】
また、他の手段は、加湿フィルターの第１の層の開口部の最短開口幅を約３〜５ｍｍとしたものである。
【００１０】
また、他の手段は、給水手段は複数の箱状の給水部からなり、前記給水部の内周側に給排水口を設け、加湿フィルターと前記給水手段は前記水槽の水に一部を常に浸しながら駆動手段によって回転し、この回転によって複数の前記給水部の前記給排水口より前記水槽の水を汲み上げる構成としたものである。
【００１１】
また、他の手段は、給水部の前記給排水口は第２の層の側周面と同一面上の略中央部に位置し、回転軸方向の開口幅が第２の層の厚みより小なる形状としたものである。
【００１２】
また、他の手段は、給水手段は複数の前記給水部の前記給排水口より前記加湿フィルターの頂上近傍に給水する構成としたものである。
【００１３】
また、他の手段は、給排水口の前記給水手段回転方向上流側に通水ガイドを設け、この通水ガイドは前記給水部の内周側内壁の一部が中心側へ傾斜した形状で前記給排水口を構成したものである。
【００１４】
また、他の手段は、給水部は前記給水手段の外周面に空気抜き孔を設け、前記給水部の内壁は前記給排水口へ傾斜したものである。
【００１５】
また、他の手段は、前記加湿フィルターの回転軸に傾斜を設け、前記加湿フィルターの頂上部に対して下端部が常に風下側に近くなる構成としたものである。
【００１６】
また、他の手段は、加湿フィルターを複数枚重ねたものである。
【００１７】
また、他の手段は、複数枚重ねた加湿フィルターの一部もしくは全てに隙間を設けたものである。
【００１８】
また、他の手段は、複数枚の加湿フィルターを１ｍｍ〜３ｍｍの隙間を設け重ね合わせたものである。
【００１９】
また、他の手段は、加湿フィルターの素材を疎水性としたものである。
【００２０】
また、他の手段は、加湿フィルターに界面活性剤を添着したものである。
【発明の効果】
【００２１】
本発明によれば、吸気口と排気口を有する本体ケースと、この本体ケース内で、前記吸気口から前記排気口に送風される送風路に送風手段を設け、前記吸気口と前記送風手段との間に加湿手段を設けた構成とし、前記加湿手段は円板状の加湿フィルターと、この加湿フィルターの外周側に円環状の給水手段とを回転自在に垂直に設け、前記給水手段の下部には水槽を設け、その水槽に給水タンクより常に所定水位まで給水し、前記加湿フィルターと前記給水手段は前記水槽の水に一部を常に浸しながら駆動手段によって回転して前記水槽の水を汲み上げ、前記加湿フィルターの上部より給水し、前記加湿フィルターは２枚の平面状の第１の層の間に第２の層を挟んだ３層構造であり、前記第２の層は前記第１の層を繊維で連結した三次元構造体を基材とすることにより、短時間で加湿フィルター全体が湿潤し、加湿性能を高め、また、加湿性能の低下が少ないという効果のある加湿装置を提供することができる。
【００２２】
また、加湿フィルターの第１の層の表面に互いに隣接した複数の開口部を設け、前記開口部を円形状または多角形に形成することにより、加湿フィルターの変形がなく、風路損失が少なく風量を保持して加湿することができる。
【００２３】
また、加湿フィルターの第１の層の開口部の最短開口幅を約３〜５ｍｍとすることで、風路損失が少なく風量を保持して加湿することができる。
【００２４】
また、給水手段は複数の箱状の給水部からなり、前記給水部の内周側に給排水口を設け、加湿フィルターと前記給水手段は前記水槽の水に一部を常に浸しながら駆動手段によって回転し、この回転によって複数の前記給水部の前記給排水口より前記水槽の水を汲み上げることにより、加湿フィルターを常に湿潤させ安定した加湿を行うことができる。
【００２５】
また、給水部の前記給排水口は第２の層の側周面と同一面上の略中央部に位置し、回転軸方向の開口幅が第２の層の厚みより小なる形状にしたことにより、加湿フィルターへの給水量の減少を防止し、かつ加湿手段以外への機器構成部品が意図せず濡れることを防止することができる。
【００２６】
また、給水手段は複数の前記給水部の前記給排水口より前記加湿フィルターの頂上近傍に給水することにより、加湿フィルターの効率的な湿潤ひいては加湿能力の向上を行うことができる。
【００２７】
また、給排水口の前記給水手段回転方向上流側に通水ガイドを設け、この通水ガイドは前記給水部の内周側内壁の一部が中心側へ傾斜した形状で前記給排水口を構成することにより、加湿フィルターへの給水が確実に行われ、効率的な加湿フィルターの湿潤を行うことができる。
【００２８】
また、給水部は前記給水手段の外周面に空気抜き孔を設け、前記給水部の内壁は前記給排水口へ傾斜することで、加湿フィルターへ効率の良い給水ができるとともに給水部の残水を減らし、給水部内部のカビや雑菌などの繁殖を低減させ、メンテ性の向上、加湿能力の低下防止および衛生的な加湿を行うことができる。
【００２９】
また、加湿フィルターの回転軸に傾斜を設け、前記加湿フィルターの頂上部に対して下端部が常に風下側に近くなる構成にすることで、加湿フィルターの全体を均一に湿潤することができる。
【００３０】
また、加湿フィルターを複数枚重ねたことで、経済的かつ合理的にメンテナンスを行うことができる。
【００３１】
また、複数枚重ねた加湿フィルターの一部もしくは全てに隙間を設けることで、加湿フィルターをより広い範囲で湿潤することができる。
【００３２】
また、複数枚の加湿フィルターを１ｍｍ〜３ｍｍの隙間を設け重ね合わせることで、均一な加湿フィルターの湿潤を行うことができる。
【００３３】
また、加湿フィルターの素材を疎水性とすることにより、メンテ性の向上、加湿能力の低下防止および機器を衛生的な状態に保つことができる。
【００３４】
また、加湿フィルターに界面活性剤を添着することにより、加湿能力の向上が図れる。
【発明を実施するための最良の形態】
【００３５】
本発明の請求項１記載の加湿装置は、吸気口と排気口を有する本体ケースと、この本体ケース内で、前記吸気口から前記排気口に送風される送風路に送風手段を設け、前記吸気口と前記送風手段との間に加湿手段を設けた構成とし、前記加湿手段は円板状の加湿フィルターと、この加湿フィルターの外周側に円環状の給水手段とを回転自在に垂直に設け、前記給水手段の下部には水槽を設け、その水槽に給水タンクより常に所定水位まで給水し、前記加湿フィルターと前記給水手段は前記水槽の水に一部を常に浸しながら駆動手段によって回転して前記水槽の水を汲み上げ、前記加湿フィルターの上部より給水し、前記加湿フィルターは２枚の平面状の第１の層の間に第２の層を挟んだ３層構造であり、前記第２の層は前記第１の層を繊維で連結した三次元構造体を基材としたもので、加湿フィルターにある一定の給水経路が形成された後でも他の給水経路が形成されやすく、多数の給水経路が形成され、さらに長期使用時に加湿フィルター内部に水道水中に含まれるスケール成分が析出されても保水力や通気性が低下しにくく、また洗浄時も容易に洗うことが可能な作用を有する。
【００３６】
また、加湿フィルターの第１の層の表面に互いに隣接した複数の開口部を設け、前記開口部を円形状または多角形に形成するとしたものであり、第１の層の表面強度を保ちながら開口部を広く形成することができる作用を有する。
【００３７】
また、加湿フィルターの第１の層の開口部の最短開口幅を約３〜５ｍｍとしたもので、開口部に水幕の形成を抑えることができる作用を有する。
【００３８】
また、給水手段は複数の箱状の給水部からなり、前記給水部の内周側に給排水口を設け、加湿フィルターと前記給水手段は前記水槽の水に一部を常に浸しながら駆動手段によって回転し、この回転によって複数の前記給水部の前記給排水口より前記水槽の水を汲み上げることにしたもので、水槽内の水を加湿フィルターへ一定間隔で給水することができる作用を有する。
【００３９】
また、給水部の前記給排水口は第２の層の側周面と同一面上の略中央部に位置し、回転軸方向の開口幅が第２の層の厚みより小なる形状にしたもので、第２の層への給水が確実に行うことができ、また給水された水が風速などで飛ばされない作用を有する。
【００４０】
また、給水手段は複数の前記給水部の前記給排水口より前記加湿フィルターの頂上近傍に給水するものであり、湿潤が困難な加湿フィルターの回転軸近辺への給水を容易に行い、また給水経路を最大長にすることができる作用を有する。
【００４１】
また、給排水口の前記給水手段回転方向上流側に通水ガイドを設け、この通水ガイドは前記給水部の内周側内壁の一部が中心側へ傾斜した形状で前記給排水口を構成としたもので、給水部内の水が給水部の内周側壁面を伝って意図しない加湿フィルターの部位に給水されることを防ぎ、さらに通水ガイドが加湿フィルターの第２の層へ押し付けられる作用を有する。
【００４２】
また、給水部は前記給水手段の外周面に空気抜き孔を設け、前記給水部の内壁は前記給排水口へ傾斜する形状にしたもので、加湿フィルターへの給水時に給排水口から出水と同時に空気抜き孔から空気が入り、さらに内壁の傾斜により給水部内の水が効率良く出水される作用を有する。
【００４３】
また、加湿フィルターの回転軸に傾斜を設け、前記加湿フィルターの頂上部に対して下端部が常に風下側に近くなる構成としたことで、給水部より加湿フィルターの上部で給水された水が重力で下方へ移動しながら、風圧により加湿フィルターの風下側の第１の層へ集中することを防ぐ作用を有する。
【００４４】
また、加湿フィルターを複数枚重ねた形態にしたことで、１枚ものに比べ変形が少なく、基本的な加湿機能を発揮することができるとともに、長期の使用においては特に汚れの多い風上側の加湿フィルターのみを交換し、風下側の加湿フィルターを継続使用できる作用を有する。
【００４５】
また、複数枚重ねた加湿フィルターの間に、一部もしくは全てに隙間を設けることで、給水時に給水された水の一部が加湿フィルターの隙間を通過する作用を有する。
【００４６】
また、複数枚の加湿フィルターを１ｍｍ〜３ｍｍの隙間を設け重ね合わせることで、給水時に隙間へ給水された水が表面張力により加湿フィルターの特定部位から移動しなくなること、または片側の加湿フィルターのみを湿潤することを防ぐ作用を有する。
【００４７】
また、加湿フィルターの素材を疎水性とすることで、加湿運転停止後の加湿フィルターの乾燥を早く行うことができ、加湿フィルターのカビや雑菌などの繁殖を低減させる作用を有する。
【００４８】
また、加湿フィルターに界面活性剤を添着することにより、加湿フィルタに給水された水の表面張力（水分子の分子間力）が低下し、気化しやすい状態にする作用を有する。
【００４９】
以下、本発明の実施の形態について、図面を参照しながら説明する。
【００５０】
（実施の形態１）
図１に示すように、本体１の側面には吸気口２を、天面には排気口３を設けており、本体１内には吸気口２と排気口３を連通した空気流路４が形成されている。空気流路４には、側面の吸気口２の近傍に加湿手段６と、排気口３の下部で加湿手段６の下流側に送風機５が配置されており、加湿手段６の下部には水槽７を設けている。水槽７には給水タンク１１より常に所定水位まで給水されるものである。加湿手段６は、中央部に円板形状の加湿フィルター８を設け、外周部に加湿フィルター８の外周縁を固定し回動自在に設けられた円環形状の給水手段９を設けている。
【００５１】
このような構成で加湿動作は以下のようになっている。給水手段９は加湿フィルター８と共に水槽７の上部で回転しながら、水槽７の水を汲み上げ、加湿フィルター８に給水する。この加湿フィルター８には送風機５により吸気口２から吸い込まれた空気が送風され、その送風された空気が給水により湿った加湿フィルター８を通過することにより加湿されるものである。そして、加湿フィルター８で加湿された空気は排気口３より室内へ供給されるようになっており、したがって、室内が加湿されるものである。
【００５２】
本実施形態における特徴点は、加湿手段６の構造にある。加湿手段６は円板形状の加湿フィルター８と円環形状の給水手段９とで構成されている。
【００５３】
図２〜図３に示すように、加湿フィルター８は、加湿フィルター部材８ａと、加湿フィルター部材８ｂとを隙間８ｃを設けて２枚重ねた構成である。この隙間の１例は約２ｍｍである。加湿フィルター部材８ａ、８ｂは第２の層１８と，この第２の層１８を挟むように複数の多角形状の開口部１６を備えた２枚の第１の層１７とから構成されている。この第１の層１７は、互いに隣接する最短開口幅が約３〜５ｍｍ程度の複数の多角形状の開口部１６を備え、この開口部１６を囲む開口外縁部１６ａがハニカム状に連結した平面形状である。この２枚の第１の層１７を第２の層１８によって連結している、つまり、第１の層１７の開口外縁部１６ａを第２の層１８である複数の繊維１８ａが連結しているものであり、第２の層１８で立体的なハニカム形状を構成している。
【００５４】
給水手段９は図４〜図５に示すように、まず、給水手段９の外周部は箱形状の給水部１２を円環状に複数連結することで構成されている。この箱形状の給水部１２は、半径方向である厚み寸法が、円周方向である高さ寸法に比べ小さい、厚みの薄い直方体形状である。また、厚み寸法と高さ寸法の比の１例は約１：６である。給水部１２の内周囲側の面には、加湿フィルター８の回転方向側寄りに略四角形状の給排水口１３を備え、この給排水口１３の逆回転方向側には給水部１２の内周囲側内壁の一部が加湿フィルター８の中心軸１０側へ傾斜したくちばし形状の通水ガイド１５を備えている。
【００５５】
また、給水部１２の外周囲側の面には、加湿フィルター８の回転方向側に長方形の空気抜き開口部１４を備えており、この空気抜き開口部１４は給排水口１３とほぼ対向する位置にある。
【００５６】
また、給水部１２の内周囲側内壁には加湿フィルター８の円周囲端部を挟むことで加湿フィルター８の位置を固定する一対のリブ１９を備えている。リブ１９は給水部１２の給排水口１３が加湿フィルター８の第２の層１８と面する位置に配置されている。この一対のリブ１９の間に加湿フィルター８が挟まれ、固定されている。また、一対のリブ１９の間に平板状のリブ（図示せず）を備えており、このリブが加湿フィルター部材８ａと、加湿フィルター部材８ｂとの間に入ることにより隙間８ｃを設けている。
【００５７】
次に、円環状の給水手段９の中心部には円筒状の中心軸１０を設け、この中心軸１０は回転軸として略水平だが加湿フィルター８の頂上部が下端部に比べ風下側に近くなる傾斜をもつように回転自在に設けられている。すなわち、加湿手段６である加湿フィルター８および給水手段９が傾いて設けられ、加湿フィルター８の頂上部が風上側である吸気口２に近くなるように傾斜し、加湿フィルター８の下端部が風下側である送風機５に近くなるように傾斜している。また、給水部１２の給排水口１３は加湿フィルター８の端部８ｄ内ではあるが、吸気口２側寄りである風上側に設けている。
【００５８】
また、加湿手段６の下部に設けられた水槽７には、給水タンク１１より常に所定水位まで水が給水され、その水には加湿手段６である給水手段９の給水部１２、および加湿フィルター８の一部が常に水没している。
【００５９】
このような構成において加湿フィルター８へに給水について説明する。加湿フィルター８および給水部１２は回転用モータ（図示せず）によって一定方向へ回転し、複数の給水部１２はそれぞれ水槽７に水没した際に給排水口１３から給水部１２内部の空気を排気することで効率的に空気抜き開口部１４から水を取り込み、加湿フィルター８の上部に回転移動した際に重力と給水部１２内部壁部の傾斜によって空気抜き開口部１４から給水部１２内部へ空気を入れつつ給水部１２内部の水を加湿フィルター８へ給水する。この時、給水部１２の給排水口１３は加湿フィルター８の端部８ｄ内ではあるが、送風機５の近くである風上側に設けているので、給水部１２内部の水は給水部１２の内周側壁部１２ａを伝わって通水ガイド１５により加湿フィルター８端部の中心部である加湿フィルター部材８ａ、８ｂの隙間８ｃ付近であるが、主に風上側の加湿フィルター部材８ｂの端部に給水される。給水された水は加湿フィルター８が傾いて設けられているため、重力により、主に隙間８ｃ、および加湿フィルター部材８ｂ内を流れ落ちると共に、一部の水は送風機５により吸気口２から送風される空気によって、風上側の加湿フィルター部材８ｂおよび隙間８ｃから、風下側の加湿フィルター部材８ａに流れる。すなわち、加湿フィルター８に給水された水は、重力により主に風上側の加湿フィルター部材８ｂ内および隙間８ｃを流れ落ちながら、送風機５の送風によって風下側の加湿フィルター部材８ａにも流れこむこととなり、加湿フィルター部材８ａ、８ｂのどちらかに偏ることなく、加湿フィルター８全体を湿潤することができる。
【００６０】
また、加湿フィルター部材８ａ、８ｂは第２の層１８と，この第２の層１８を挟むように複数の多角形状の開口部１６を備えた２枚の第１の層１７とから構成され、第１の層１７の開口外縁部１６ａを第２の層１８である複数の繊維１８ａが連結し、第２の層１８で立体的なハニカム形状を構成している。このように、第２の層１８は複数の多角形状の開口部１６を備えた平面状の第１の層１７を連結する複数の繊維１８ａのみで構成されているで、第２の層１８内部の隙間が多く水膜が形成されにくいので、水が伝わりやすくなる。更に、開口部１６を囲む開口外縁部１６ａはハニカム状に連結しているので、加湿フィルター８の上部に給水され、この加湿フィルター８を伝いながら水が重力で加湿フィルター８の下部に流れる場合に、ハニカム状に広がりながら、複数の繊維１８ａを伝ってながれる。つまり、複数の経路を伝ってながれるので、加湿フィルター８にある一定の給水経路が形成された後でも他の給水経路が形成されやすく、多数の給水経路を形成することができ、結果として、加湿フィルター８全体を湿潤することができる。また、加湿フィルター部材８ｂに流れた水は、表面張力により第１の層１７の開口部１６から排水されることなく加湿フィルター部材８ｂを流れ下部に配置される水槽７まで通水する。
【００６１】
また、加湿フィルター８は主に第２の層１８を形成する繊維１８ａに付着した水によって加湿を行うことができ、更に、この繊維１８ａは通風方向とほぼ平行なため大きな圧力損失とならず、短時間で低圧損な加湿を行うことができる。
【００６２】
また、給水部１２には空気抜き開口部１４が給排水口１３とほぼ対向する位置にあるので、給水時に給水部１２内部の空気が空気抜き開口部１４から抜けると共に、給水部１２内部の水が給排水口１３から加湿フィルター８へ流れるので、給水部１２内部の残水を減らし、カビや雑菌などの発生を低減させ、メンテ性の向上、加湿能力の低下防止および衛生的に機器を保つことができる。
【００６３】
また、給排水口１３には給水部１２の内周囲側内壁の一部が加湿フィルター８の中心軸１０側へ傾斜したくちばし形状の通水ガイド１５を備えているので、加湿フィルター８への給水時に、給水部１２内部の水は通水ガイド１５により給水部１２内周側壁部を伝わって意図しない構成部品等に垂れて濡らしてしまうことなく加湿フィルター８へ給水することができる。
【００６４】
また、この箱形状の給水部１２は、半径方向である厚み寸法が、円周方向である高さ寸法に比べ小さい、厚みの薄い直方体形状であるので、給水部１２が回転しながら加湿フィルター８の最上部に到達するまでに、給水部１２内の水が給排水口１３より多量にこぼれることなく給水部１２が加湿フィルター８の最上部に到達することができるので、加湿フィルター８の最上部付近で、給水部１２内の水を給水でき、結果として、加湿フィルター８の最上部から中心軸１０近辺を通り給水水槽７まで流れるので、給水経路を最大長にすることができることとなり、加湿フィルター８が効率的に湿潤し、加湿能力の向上を行うことができる。
【００６５】
また、加湿フィルター８は、複数の多角形状の開口部１６を備えた第１の層１７と、この第１の層１７に挟まれた、第２の層１８とから構成されている。第１の層１７は、互いに隣接する複数の多角形状の開口部１６を備え、この開口部１６を囲む開口外縁部１６ａがハニカム状に連結した平面状である。この２枚の第１の層１７の開口外縁部１６ａを連結する複数の繊維１８ａで構成された第２の層１８で立体的な構成を備えている。このことにより、第１の層１７の表面強度を保ちながら開口部１６を広く形成することで加湿フィルター８の変形を抑えることができ、また、最短開口幅が約３〜５ｍｍのため開口部１６に水膜の形成を抑えることが加湿フィルター８の風路圧損が少なくできる。なお、一般的に開口部１６の最短距離が３ｍｍ未満の場合に水膜の形成しやすいことが知られている。
【００６６】
また、第２の層１８は複数の多角形状の開口部１６を備えているので、長期使用時に加湿フィルター８内部に水道水中に含まれるスケール成分が析出されても保水力や通気性が低下しにくく、また、洗浄時も容易に洗うことが可能である。
【００６７】
また、加湿フィルター８は疎水性の特徴を持つ素材で構成され、素材の表面には界面活性剤が添着されており、疎水性の素材により加湿運転停止後の加湿フィルター８の乾燥を容易に行うことができ、加湿フィルター８のカビや雑菌などの繁殖を低減させることで、メンテ性の向上、加湿能力の低下防止および機器を衛生的に保つことができる。なお、疎水性の素材の一例としてポリプロピレンおよびポリエステルなどの疎水性繊維がある。
【００６８】
また、加湿フィルター８に界面活性剤を添着することにより、加湿フィルター８に給水された水の表面張力（水分子の分子間力）が低下し、気化しやすい状態になり、加湿能力の向上が図れる。なお、界面活性剤の一例として塩化ベンザルコニウムなどのカチオン系界面活性剤がある。
【００６９】
また、リブ１９は給水部１２の給排水口１３が加湿フィルター８の第２の層１８と面する位置に配置されているので、給水された水が加湿フィルター８に給水される時に、送風機５により送風される風圧により飛ばされることなく、加湿フィルター８に給水することができる。
【００７０】
また、各加湿フィルター８に１ｍｍ〜３ｍｍの隙間があると、給水された水が第１の層１７同士を繋ぐ形態の水滴となるため、例えば片側の加湿フィルター８にのみ接したり、例えば両側の第１の層１７と接して表面張力で流れなくなることがなく、２枚の加湿フィルター８を同時に湿潤することができ、加湿フィルター８を広い範囲で均一に湿潤することができる。
【００７１】
また、加湿フィルター８が２枚重ねのため、長期の使用においては特に汚れの多い風上側の加湿フィルター８を交換し、風下側の加湿フィルター８を継続使用できる。
【００７２】
また、加湿フィルター８は主に第２の層１８を形成する繊維に付着した水によって加湿を行うことができ、この繊維は通風方向とほぼ平行なため大きな圧力損失とならず、短時間で低圧損な加湿を行うことができる。さらに、給水された水が加湿フィルター８の頂点から水槽７まで縦断する際に加湿フィルター８を流れる送風の影響を受け、徐々に送風機５側へ集まりやすくなるが、加湿フィルター８の頂点より下端部が送風機５側に近くなるように傾斜しているため、送風の影響を受けても加湿フィルター８の送風機５側へ集中しにくくして加湿フィルター８全体を湿潤することができる。
【図面の簡単な説明】
【００７３】
【図１】本発明の実施の形態１の加湿装置の構成断面図
【図２】同給水部の構成断面図
【図３】同加湿フィルターの組成模式図
【図４】同加湿装置の構成断面図
【図５】同給水部の構成断面図
【符号の説明】
【００７４】
１      本体
６      加湿手段
８      加湿フィルター
８ａ    加湿フィルター部材
８ｂ    加湿フィルター部材
８ｃ    隙間
９      給水手段
１２    給水部
１３    給排水口
１４    空気抜き開口部
１５    通水ガイド
１６    開口部
１６ａ  開口外縁部
１７    第１の層
１８    第２の層
１８ａ  繊維
１９    リブ
【図１】
2010107134.tif 000003
【図２】
2010107134.tif 000004
【図３】
2010107134.tif 000005
【図４】
2010107134.tif 000006
【図５】
2010107134.tif 000007